(57)【特許請求の範囲】
【請求項１】
少なくとも１つの移動スイッチングセンタ（ＭＳＣ）（１Ａ）と、ＭＳＣ（１Ａ）と通信関係にある複数の無線基地局（ＲＢＳ）（３Ａ，３Ｃ）とを含むＧＳＭのための移動遠隔通信システムにおける通信方法であって、
ＭＳＣ（１Ａ）において、第１のＲＢＳ（３Ａ）からサービスを提供されていた移動局（６Ａ）が、第１のＲＢＳ（３Ａ）に代えて第２のＲＢＳ（３Ｃ）からサービスを提供されることを示す情報を受信するステップと、
第１のＲＢＳ（３Ａ）と第２のＲＢＳ（３Ｃ）との間にリレー接続を確立するステップと、
第１のＲＢＳ（３Ａ）において、移動局（６Ａ）の通信相手である端末から送信されるパケット信号または当該端末から送信される信号に基づいて形成されるパケット信号を受信するステップと、
第１のＲＢＳ（３Ａ）において、受信されたパケット信号のヘッダ情報を、パケット信号が第２のＲＢＳ（３Ｃ）に向かうように変更するステップと、
第１のＲＢＳ（３Ａ）から第２のＲＢＳ（３Ｃ）へ、リレー接続に沿ってパケット信号を転送するステップと、
第２のＲＢＳ（３Ｃ）において、転送されたパケット信号を受信するステップと、
第２のＲＢＳ（３Ｃ）において、受信されたパケット信号を、移動局（６Ａ）への転送に適した信号に変換するステップと、
第２のＲＢＳ（３Ｃ）から移動局（６Ａ）へ、変換された信号を送信するステップとを有することを特徴とする通信方法。
【請求項２】
第１のＲＢＳ（３Ａ）において、移動局（６Ａ）の通信相手である端末を表す識別情報をＭＳＣ（１Ａ）から受信するステップをさらに有する、請求項１に記載の通信方法。
【請求項３】
第２のＲＢＳ（３Ｃ）において、第１のＲＢＳ（３Ａ）から送信されるパケット信号をメディアポート（７）を介して受信し、
変換された信号を移動局ポート（８）を介して移動局（６Ａ）へ送信することを特徴とする請求項１に記載の通信方法。
【請求項４】
パケット信号がＩＰベースの信号であることを特徴とする請求項１に記載の通信方法。
【請求項５】
ＲＢＳ（３）のメディアポート（７）に関する情報及び移動局ポート（８）に関する情報をＭＳＣ（１Ａ）に送信するステップをさらに有する、請求項１に記載の通信方法。
【請求項６】
ＲＢＳ（３）のメデイアポート（７）と移動局ポート（８）との間の接続がＭＳＣ（１Ａ）によって制御されることを特徴とする請求項１に記載の通信方法。
【請求項７】
少なくとも１つの移動スイッチングセンタ（ＭＳＣ）（１Ａ）と、ＭＳＣ（１Ａ）と通信関係にある複数の無線基地局（ＲＢＳ）（３Ａ，３Ｃ）とを含むＧＳＭのための移動遠隔通信システムにおける通信方法であって、
ＭＳＣ（１Ａ）において、第１のＲＢＳ（３Ａ）からサービスを提供されていた移動局（６Ａ）が、第１のＲＢＳ（３Ａ）に代えて第２のＲＢＳ（３Ｃ）からサービスを提供されることを示す情報を受信するステップと、
第１のＲＢＳ（３Ａ）と第２のＲＢＳ（３Ｃ）との間にリレー接続を確立するステップと、
第２のＲＢＳ（３Ｃ）において、移動局（６Ａ）から音声信号を受信するステップと、
第２のＲＢＳ（３Ｃ）において、受信された音声信号をパケット信号に変換するステップと、
第２のＲＢＳ（３Ｃ）から第１のＲＢＳ（３Ａ）へ、リレー接続に沿ってパケット信号を転送するステップと、
第１のＲＢＳ（３Ａ）において、転送されたパケット信号を受信するステップと、
第１のＲＢＳ（３Ａ）において、受信されたパケット信号のヘッダ情報を、パケット信号が移動局（６Ａ）の通信相手である端末に向かうように変更するステップと、
第１のＲＢＳ（３Ａ）から移動局（６Ａ）の通信相手である端末へ向けてパケット信号を転送するステップとを有することを特徴とする通信方法。
【請求項８】
第１のＲＢＳ（３Ａ）において、移動局（６Ａ）の通信相手である端末を表す識別情報をＭＳＣ（１Ａ）から受信するステップをさらに有する、請求項７に記載の通信方法。
【請求項９】
第２のＲＢＳ（３Ｃ）において、移動局（６Ａ）から送信される音声信号を移動局ポート（８）を介して受信し、
パケット信号をメディアポート（７）を介して第１のＲＢＳ（３Ａ）へ送信することを特徴とする請求項７に記載の通信方法。
【請求項１０】
パケット信号がＩＰベースの信号であることを特徴とする請求項７に記載の通信方法。
【請求項１１】
ＲＢＳ（３）のメディアポート（７）に関する情報及び移動局ポート（８）に関する情報をＭＳＣ（１Ａ）に送信するステップをさらに有する、請求項７に記載の通信方法。
【請求項１２】
ＲＢＳ（３）のメディアポート（７）と移動局ポート（８）との間の接続がＭＳＣ（１Ａ）によって制御されることを特徴とする請求項７に記載の通信方法。
【請求項１３】
少なくとも１つの移動スイッチングセンタ（ＭＳＣ）（１Ａ）と、ＭＳＣ（１Ａ）と通信関係にある複数の無線基地局（ＲＢＳ）（３Ａ，３Ｃ）とを含むＧＳＭのための移動遠隔通信システムであって、
第１のＲＢＳ（３Ａ）からサービスを提供されていた移動局（６Ａ）が、第１のＲＢＳ（３Ａ）に代えて第２のＲＢＳ（３Ｃ）からサービスを提供されることを示す情報をＭＳＣ（１Ａ）において受信すると、第１のＲＢＳ（３Ａ）と第２のＲＢＳ（３Ｃ）との間にリレー接続が確立され、
第１のＲＢＳ（３Ａ）において、移動局（６Ａ）の通信相手である端末から送信されるパケット信号または当該端末から送信される信号に基づいて形成されるパケット信号のヘッダ情報を、パケット信号が第２のＲＢＳ（３Ｃ）へ向かうように変更することを特徴とする移動遠隔通信システム。
【請求項１４】
少なくとも１つの移動スイッチングセンタ（ＭＳＣ）（１Ａ）と、ＭＳＣ（１Ａ）と通信関係にある複数の無線基地局（ＲＢＳ）（３Ａ，３Ｃ）とを含むＧＳＭのための移動遠隔通信システムであって、
第１のＲＢＳ（３Ａ）からサービスを提供されていた移動局（６Ａ）が、第１のＲＢＳ（３Ａ）に代えて第２のＲＢＳ（３Ｃ）からサービスを提供されることを示す情報をＭＳＣ（１Ａ）において受信すると、第１のＲＢＳ（３Ａ）と第２のＲＢＳ（３Ｃ）との間にリレー接続が確立され、
第１のＲＢＳ（３Ａ）において、第２のＲＢＳ（３Ｃ）から送信されるパケット信号のヘッダ情報を、当該パケット信号が移動局（６Ａ）の通信相手である端末に向かうように変更することを特徴とする移動遠隔通信システム。
【発明の詳細な説明】
【０００１】
【発明の属する技術分野】
本発明は、無線遠距離通信ネットワークにおけるパケットベースの通信のためのシステムと方法に関し、特に、セルラ遠距離通信ネットワーク内での、無線基地局と対応する移動スイッチングセンタ間でのパケットシグナルのスイッチングに関する。
【０００２】
【従来の技術及び発明が解決しようとする課題】
無線通信は、最も成長が速く、最も必須要件の多い遠距離通信アプリケーションである。現在、何百万人のセルラ加入者がセルラ通信システムのサービスを利用している。従来のセルラ遠距離通信では、音声とデータが通信デバイス間を繋ぐ物理的なスイッチングデバイスを通過する、回線スイッチによるアーキテクチャが利用されている。移動通信のためのグローバルシステム（ＧＳＭ）等の従来のセルラ遠距離通信システムは、典型的には、システムのスイッチング機能を制御する複数の移動スイッチングセンタを含むことができる。複数の無線基地局（ＲＢＳ）によって、ネットワーク内の移動局には、無線インターフェースが提供されている。基地局コントローラ（ＢＳＣ）によって、ＲＢＳと対応ＭＳＣとの間の物理的リンクと制御機能が提供される。セルラ遠距離通信ネットワーク内で遠距離通信サービスが提供される場合、音声トラフィックは、移動局と送信先端末との間を、当該移動局にサービスを提供するＭＳＣ，ＢＳＣ，及びＲＢＳを介して通信される。送信先端末がネットワークにおける他の移動局である場合、音声トラフィックは、他方の移動局に対応するＲＢＳ，ＢＳＣ及びＭＳＮを介して当該他方の移動局に送信されなれければならない。上記から分かるように、回線スイッチによるアーキテクチャを使用して移動局と通信するためには、多数のネットワークデバイスが利用される。
【０００３】
パケットベースの通信技術の重要性は、音声や他のメディアの通信においてより高まっている。パケットベースの通信へ移行する傾向に加え、移動通信ネットワークにおける物理的スイッチ内でのトラフィックレベルの増加に取り組むため、従来ＭＳＣが処理してきた音声トラフィックの処理及び／又はペイロードを分散させる必要性が生じている。
【０００４】
欧州特許出願番号ＥＰ０６６０６３２Ａ２には、コネクションレス符号分割多重アクセスセルラシステムにおける２つのモバイル間でソフトハンドオフを提供するためのシステムと方法が記載されている。
【０００５】
本発明は、従来のシステムの欠陥を克服し、以って、セルラ遠距離通信ネットワーク内でパケットベースのメディアを効率的に転送するシステム及び方法に対する顕著な要望を満足させるものである。
【０００６】
【課題を解決するための手段】
本発明の好適な実施態様によると、従来のセルラネットワークに通常見られる構成要素を含む移動遠距離通信システムが提供され、当該システムには、当該システムのために従来の回線スイッチング機能を実施する少なくとも１つの移動スイッチングセンタ（ＭＳＣ）と、ＭＳＣと移動局の間のリソースを割当てることによって１又は複数の移動局に対する無線インターフェースを管理する複数の無線基地局（ＲＢＳ）とＭＳＣと当該ＭＳＣがサービスを提供するＲＢＳとの間の物理的リンクと制御機能を提供する単数又は複数の基地局コントローラ（ＢＳＣ）が含まれる。
【０００７】
本発明によると、移動遠距離通信ネットワークによってパケットスイッチによる信号の通信が可能となる。特に、いずれのＲＢＳにも、移動局から受信した音声信号をパケットに変換し、パケット信号を目的の送信先に転送するデバイスが含まれている。ＲＢＳは、送信先デバイスに関する必要な識別情報、例えば当該装置のアドレス値及び／又はポート番号を受信する。更に、ＲＢＳは、移動局に対するパケット信号を、当該移動局へ続けて転送するために適した信号へ変換する。音声信号に基づいたパケット信号を移動局からＭＳＣが特定する適当な送信先へ向けて送出し、更に、受信したパケット信号を移動局へ向けて送出することによって、各ＲＢＳはＭＳＣによって制御された論理スイッチとして機能する。
【０００８】
移動遠距離通信ネットワーク内で音声情報等の情報を通信する方法は、ＲＢＳとＢＳＣ及びそれらに関連するＭＳＣ間の通信を開始及び／又は確立するための、システムスタートアップ時の一連の操作の実行を含む。通話が開始されると、ＲＢＳと対応するＢＳＣ及びＭＳＣの間で通話設定ルーティンが実行される。通話設定ルーティンは、移動局の通信を中継するＲＢＳにおける移動局ポートと、パケットベース信号と他の端末との通信を中継するメディアポートとをＲＢＳがＭＳＣに（ＢＳＣを介して）伝達すること、及び、通信相手となる他方の端末に関連した遠隔メディアポートをＭＳＮがＲＢＳに伝達することを含む。その後、ＭＳＮは、メディアポートとＲＢＳの移動局ポートとの間の接続と、ＲＢＳのメディアポートを介した他方の端末とパケットベース信号との通信を制御ないしは維持することができる。
【０００９】
通話設定ルーティンの後、音声信号が移動局からＲＢＳへ送出され、ＲＢＳは移動局ポートで該音声信号を受信し、当該信号を音声パケット信号に変換する。ＲＢＳは、その後、メディアポートを介してパケット信号を他方の端末へ送信する。他方の端末により送信され、ＲＢＳのメディアポートで受信されたパケット信号は、音声信号に変換された後、移動局ポートを介して移動局へ送信される。
【００１０】
本発明は、異なるＲＢＳデバイス間を移動する移動局へパケット信号をハンドオフ操作中に効果的に伝達するために利用することもできる。移動中の移動局が第一のＲＢＳがサービスを提供するセルを抜け、他のＲＢＳがサービスを提供するセルに入る場合、ＭＳＣと両ＲＢＳの間で通信が発生し、その結果、ＭＳＣは、他方の端末と通信するための第一のＲＢＳのメディアポートを維持し、第一のＲＢＳと移動局に現在サービスを提供中である第二のＲＢＳとの間のリレー接続を確立する。更に、ＭＳＣは、第二のＲＢＳにおいて、移動局と関連のある移動局ポートとメディアポートとの間の接続を制御する。このように、第一のＲＢＳは「アンカーＲＢＳ」として維持され、それにより移動局が発信源であるパケット情報はリレー接続を介して第二のＲＢＳから第一のＲＢＳへ、そして他方の端末へ転送され、他方の端末が発信源であるパケット情報はまず第一のＲＢＳへ、そしてリレー接続を介して第二のＲＢＳへ転送され、そこから、第二のＲＢＳの移動局ポートを介して移動局へ送信される。
【００１１】
以下の詳細な説明を添付図面とともに参照することにより、本発明に係るシステムと方法をより完全に理解できるであろう。
【００１２】
【発明の実施の形態】
本発明の好適な実施態様を表した添付図面を参照しながら、本発明を以下でさらに詳述する。しかし、本発明は、多くの異なる形態で実施可能であり、本明細書で設定されている実施態様に限定されると解釈されてはならない。むしろ、本発明を完全に開示し、本発明の技術的範囲を当業者に完全に説明するために当該実施態様を提供した。
【００１３】
図１乃至４を参照すると、本発明の好適な実施態様による遠距離通信システムとそれに対応する方法が開示されている。遠距離通信システムは、移動通信のためのグローバルシステム（ＧＳＭ）のための公衆陸上移動網（ＰＬＭＮ）等、実質上、移動局への無線通信を提供するいかなる遠距離通信システムであってもよい。本発明の好適な実施態様においては、図１に示されたように、遠距離通信システムはＭＳＣ１、ＢＳＣ２及びＲＢＳ３を含んでいる。遠距離通信システムはさらに、他の通信ネットワーク又はデバイスにエントリーポイントを提供するゲートウェイノードやゲートウェイ（図示せず）等の他の構成要素を含んでいてもよい。
【００１４】
本発明に係る遠距離通信システムは、回線スイッチによる通信を提供することが可能であることに加え、様々なシステム構成要素の間で音声やデータ等の情報をパケットによって伝達するパケットスイッチによる通信も提供することが可能である。例えば、当該遠距離通信システムは、移動局６に音声信号を伝達するためのＩＰベースの環境を提供することが可能である。パケットスイッチによるシステムとして動作する場合の遠距離通信システムが図２で例示されている。
【００１５】
遠距離通信システムが、パケットベースによる通信を実施するために及び／又はパケットスイッチによるシステムとして機能するために、各ＲＢＳ３は、好適には、移動局６から移動局ポートで受信した信号をパケット信号に変換し、当該パケット信号をＲＢＳ３に対応するＭＳＣ１が特定する送信先デバイスに向けて転送するためのパケット変換デバイス５を含む。ＲＢＳ３と関連したＭＳＣ１は、好適には、送信先アドレス及び／又はポート情報等の送信先デバイスに対応した識別情報をＲＢＳ３に提供する。すると、ＲＢＳ３は、ＭＳＣ１により作成された各パケット信号のヘッダ中の送信先デバイスを識別することができ、ＲＢＳ３はメディアポートを介してパケット信号を送信先デバイスに向けて送出する。
【００１６】
本発明の好適な実施態様によると、ＲＢＳ３のパケット変換デバイス５は、更に、移動局６へ向けて送出されたパケット信号を、移動局６へ転送するために適したフォーマットを有する信号へ変換する。移動局６から送信されたパケットフォームの情報を転送し、またパケット信号を目的の移動局６に送信することによって、ＲＢＳ３は、パケット信号を送信するための論理的スイッチとして機能する。ＭＳＣ１は、（他の端末とのパケット信号の伝達を中継する）メディアポート７と（移動局６との音声信号の伝達を中継する）移動局ポート８との間の接続を制御しているので、ＭＳＣ１がＲＢＳ３の論理的スイッチを制御していると見ることができる。
【００１７】
本発明の好適な実施態様の動作について、図３乃至５を参照しながら説明する。最初に、ルーティンは、ＭＳＣ  １Ａ、ＲＢＳ  ３Ａ、及びＢＳＣ  ２Ａ等の互いに通信関係にあるネットワークデバイスのセットによってシステムセットアップを実行する。しかし、当然のことながら、システムスタートアップ・ルーティンは、ＲＢＳの何れかまたは全てが、対応するＢＳＣやＭＳＣとともに実施してもよい。図３を参照すると、ＲＢＳ  ３Ａは、それと関連したＭＳＣ  １Ａと接続３０を確立する。当該接続は、例えばＴＣＰ接続でもよい。次に、ＲＢＳ  ３Ａは、その識別子を信号３１でＭＳＣ  １Ａに送る。ＭＳＣ  １Ａは、返信メッセージ３２で応答する。更に、ＲＢＳ  ３Ａは、対応するＢＳＣ  ２Ａと接続３３を確立する。当該接続は、例えばＴＣＰ接続であってもよい。ＢＳＣ  ２ＡについてのＢＳＣアドレスを見つけるために、ＲＢＳ  ３Ａが構成ファイルを利用してもよい。更に、ＲＢＳ  ３Ａは、ＲＢＳ  ３Ａのための識別子と内部参照を含む信号３４をＢＳＣ  ２Ａに提供する。システムセットアップ・ルーティンは、この時点で完了する。
【００１８】
移動局６Ａとの通話の開始時に、ＲＢＳ３Ａ、ＭＳＣ１Ａ、及びＢＳＣ  ２Ａの間で通話設定ルーティンが実行される。図４を参照すると、ＲＢＳ３Ａは、移動局６ＡとＲＢＳ３Ａの通信を中継する移動局ポート８の情報を信号４１によってＢＳＣ２Ａに送信する。そして、移動局６Ａとの通信を実行するために割当てられた実際の移動局ポート８等のポート情報は、ＲＢＳ３ＡのＲＢＳ参照識別子とともに、信号４２によりＢＳＣ２ＡからＭＳＣ１Ａへ送信される。その後、ＭＳＣ  １Ａは、当該通話に関連した他方の端末とパケット信号を通信（転送及び受信）するためのＲＢＳ３Ａのメディアポート７に関する情報を信号４３により要求及び受信する。他方の端末に関連する遠隔メディアポートを有するＭＳＣ１Ａは、遠隔メディアポート情報を信号４４によりＲＢＳ３Ａに送信する。この場合、移動局６Ｂは、当該通話に関連した他方の端末であるから、移動局６Ｂと関連するＲＢＳ３Ｂのメディアポート７がＲＢＳ３Ａに提供される遠隔メディアポート情報となる。この時点で、ＭＳＣ１Ａは、ＲＢＳ３Ａにおけるメディアポート７と移動局ポート８の接続を効率的に制御することができる。
【００１９】
通話設定ルーティンが完了すると、メディア及び／又は音声信号を移動局６Ａと移動局６Ｂの間で通信することが可能となる。詳細には、ステップ５１（図５）において、移動局６Ａが転送した音声その他のメディア信号が、ＲＢＳ３Ａの移動局ポート８で受信される。ステップ５２で、ＲＢＳ３Ａは音声信号をパケットフォームに変換し、ステップ５３において、当該パケット信号をメディアポート７からＲＢＳ３Ｂに転送する。パケット信号を発生させる際、ＲＢＳ３Ａは、ＲＢＳ３Ｂの特定のメディアポート７を送信先デバイス／アドレスとして識別する、各パケット中のヘッダ情報を提供する。ＲＢＳ３Ａからパケット信号を受信したＲＢＳ３Ｂは、当該パケット信号を、その後のステップ５５においてＲＢＳ３Ｂの移動局ポート８に沿って移動局６Ｂへ転送するために適したフォームの信号へ、ステップ５４において変換する。
【００２０】
ＭＳＣ１とそれに対応する各ＲＢＳ３との間にインターフェ−スが確立されたことにより、通話の間の適切なシグナリングを提供するために、ＭＳＣ１がＲＢＳ３に対してトーン信号を送信先デバイスに転送するよう制御及び／又は指示することが可能となる。
【００２１】
移動局６Ｂによって転送された音声信号をＲＢＳ３Ｂの移動局ポート８で受信した後、ＲＢＳ３Ｂは、ステップ５６で当該音声信号をパケットフォームに変換し、ステップ５７で、ＲＢＳ３Ｂのメディアポート７からＲＢＳ３Ａにパケット信号を転送する。パケット信号を発生させる際、ＲＢＳ３Ｂは、ＲＢＳ３Ａの特定のメディアポート７を送信先デバイス／アドレスとして識別する、各パケット中のヘッダ情報を提供する。ＲＢＳ３Ｂからパケット信号を受信したＲＢＳ３Ａは、当該パケット信号を、その後のステップ５９においてＲＢＳ３Ａの移動局ポート８を介して移動局６Ａへ転送するために適したフォームの信号へ変換する。
【００２２】
ＭＳＣ１Ａは、移動局６Ａと、当該遠距離通信システムがサービスを提供していない端末との間のパケットベースによる通信を実行するための、ＲＢＳ３Ａ内の論理的スイッチングを制御することができる。この場合、上記に記載した通話設定ルーティンと信号の変換とルーティングに係るＲＢＳ３Ａの動作は同一である。唯一の相違点は、当該システムにおけるＲＢＳ３の特定のメディアポートに代わり、他方の端末の遠隔メディアポートをＭＳＣ１ＡがＲＢＳ３Ａに提供しているという点である。
【００２３】
本発明は、異なるＲＢＳがサービスを提供するエリアを移動局６が移動する場合に、パケットスイッチによるプロトコルを使用して、ハンドオフ動作の間の当該移動局６との通信を容易にする。移動局６ＡがＲＢＳ３Ａによって通話を開始する状況を想定する。移動局６Ａが直接ＲＢＳ３Ａと通信する間、ＲＢＳ３Ａは、その移動局ポート８を介して移動局６から音声信号を受信し、当該音声信号を、パケットヘッダへの適切な送信先アドレスの配置を含めて、パケットフォームに変換し、当該パケット信号を特定のメディアポート７を介して所望の送信先へ転送する。パケットスイッチによる技術において、１つのＲＢＳ３を他のＲＢＳ３に置換することが不可能であるため、ステップ６１において、移動局６ＡがＲＢＳ３Ａのサービスエリアを離れ、他のＲＢＳ（例えば，ＲＢＳ３Ｃ）へ入る場合に、ＲＢＳ３Ａは、送信先アドレスと通信するための「アンカー」ＲＢＳとして維持される。この場合、ＭＳＣ１Ａは、移動局６Ａの新ロケーションを認知し、ＲＢＳ３Ａ及びＲＢＳ３Ｃにポート情報を提供するので、ＲＢＳ３Ａのメディアポート７とＲＢＳ３Ｃのメディアポート７との間でリレー接続が確立されて制御される。このように、ステップ６２でＲＢＳ３Ａのメディアポート７が受信した送信先デバイスからのパケット信号は、ステップ６３でＲＢＳ３Ｃの特定メディアポート７を表すようにそのヘッダが変更され、その後ＲＢＣ３Ｃに転送される。ＲＢＳ３Ｃのメディアポート７で受信された当該パケット信号は、ステップ６４でパケットフォームから変換され、ＲＢＣ３Ｃによってその移動局ポート８を介して移動局６Ａへ転送される。
【００２４】
移動局６Ａが転送したメディア及び／又は音声信号は、ＲＢＣ３Ｃの移動局ポート８で受信されると、ステップ６６でパケットフォームに変換され、ＲＢＳ３Ａの特定のメディアポート７に転送される。ステップ６５でＲＢＣ３Ｃからパケット信号を受信したＲＢＳ３Ａは、ステップ６７で、送信先デバイスを表示するためにそのヘッダ情報を変更し、ＭＳＣ１Ａの制御のもと、ＲＢＳ３Ａのメディアポート７を介して当該送信先へパケット信号を転送する。
【００２５】
移動局６ＡがＲＢＣ３Ｃ以外のＲＢＳ３のサービスエリアに移動する場合、この移動はＭＳＣ１に伝達され、ＭＳＣ１は、ＲＢＳ３Ａのメディアポート７と、移動局６にサービスを提供する新しいＲＢＳ３のメディアポート７との間でリレー接続を新たに確立する。
【図面の簡単な説明】
【図１】  本発明の好適な実施態様による移動遠距離通信ネットワークのブロック図である。
【図２】  図１に図示された移動遠距離通信ネットワークの別のブロック図である。
【図３】  図１及び２のネットワークにおける様々な構成要素のシステムセットアップ・ルーティンを図示するノード間信号図である。
【図４】  図１及び２のネットワークにおける様々な構成要素の通話設定ルーティンを図示するノード間信号図である。
【図５】  本発明の好適な実施態様の通話動作を図示したフローチャートである。
【図６】  本発明の好適な実施態様の別の動作を図示したフローチャートである。
【図１】
0004638108.tif 000002
【図２】
0004638108.tif 000003
【図３】
0004638108.tif 000004
【図４】
0004638108.tif 000005
【図５】
0004638108.tif 000006
【図６】
0004638108.tif 000007